(57)【要約】【課題】 従来、包装箱（段ボール箱など）について、開口部の中央寄りの部位、あるいは開口部の適宜の位置で封緘する適切な方法手段がなかった。また、一対の外蓋を安定した状態に連結する（封緘する）適切な方法手段がなかった。【解決手段】支柱を介して、下押えと上押えとが連結されて成る封緘具の下押えについて、一定の長さ（長さ幅）をもつものにした。また、外蓋の厚みに多少の違いがあっても、硬さ（紙質）の違いがあっても適切に対応できるよう、必要により、バネ仕掛けをもつものとした。一方、一定の長さ幅をもった封緘具を取り付けるための手立てとして、封緘するための操作を、「先ず、片方の外蓋に取り付け、次いで、もう片方の外蓋とたたみ合せ」、然る後に、「一対の外蓋を封緘（連結）する」の、概ね２段階の操作（手順）によるものとした。【選択図】  図５
2014198599.tif 000002
【特許請求の範囲】
【請求項１】
（イ）本発明は、一対の外蓋を有する包装箱（段ボール箱など）の封緘具に関す、
（ロ）本封緘具は、支柱を介して、下押えと上押えとが連結されて成る、
下押えは、安定した状態に封緘するための一定の長さ（長さ幅）をもって成る、
（ハ）上押えは、幅側（の側面）から見るかたちに於いて、支柱の上端から一方（左方または右方）に延びて成り、長さ側（の側面）から見るかたちに於いて、支柱の上端から両方（左方と右方）に延びて成る、
（ニ）以上の如き特徴を有して成る包装箱の封緘具。
【請求項２】
（イ）本発明は、一対の外蓋を有する包装箱（段ボール箱など）の封緘方法に関す、
（ロ）使用する封緘具は、支柱を介して、下押えと上押えとが連結されて成る、
下押えは、安定した状態に封緘するための一定の長さ（長さ幅）をもって成る、
（ハ）封緘に際しては、下押えの長さ方向（長さ幅が延びる方向）を、外蓋の縁に沿う方向（縦方向）に向け、先ず、片方（例えば右方）の外蓋（の縁）に取り付ける、この際、下押え（だけ）を相手方（左方）に差し出すかたちをとるものとする、次いで、差し出した下押えの上に、相手方（左方）の外蓋を重ね合せる、
然る後、上押えを操作し（回転させ）、上押えを一対の外蓋上に掛け渡す（渡し押える）と同時に、下押えの長さ方向を、一対の外蓋の合せ目筋に交叉する方向（横方向）に向ける、即ち、下押えの長さ幅を以って、一対の外蓋の内側を渡し押える、
（ニ）以上の如き特徴をもった包装箱の封緘方法。
【請求項３】
（イ）本発明は、一対の外蓋を有する包装箱（段ボール箱など）の封緘具に関す、
（ロ）本封緘具は、支柱を介して、下押えと上押えとが連結されて成る、
下押えは、安定した状態に封緘するための一定の長さ（長さ幅）をもって成る、
（ハ）下押えは、幅側（の側面）から見るかたちに於いて、支柱の下端から一方（左方または右方）に延びて成り、長さ側（の側面）から見るかたちに於いて、支柱の下端から両方（左方と右方）に延びて成る、
（ニ）以上の如き特徴を有して成る包装箱の封緘具。
【請求項４】
（イ）本発明は、一対の外蓋を有する包装箱（段ボール箱など）の封緘方法に関す、
（ロ）使用する封緘具は、支柱を介して、下押えと上押えとが連結されて成る、
下押えは、安定した状態に封緘するための一定の長さ（長さ幅）をもって成る、
（ハ）封緘に際しては、下押えの長さ方向（長さ幅が延びる方向）を、外蓋の縁に沿う方向（縦方向）に向け、先ず、片方（例えば右方）の外蓋（の縁）に取り付ける、この際、上押え（だけ）を相手方（左方）に差し出すかたちをとるものとする、次いで、もう片方（左方）の外蓋とたたみ合せる、即ち、相手方（左方）の外蓋を折りたたみ、その外蓋（の縁上）に、上押え（差し出した部分）を重ね合せる、
然る後、上押えを操作し（回転させ）、下押えの長さ方向を、一対の外蓋の合せ目筋に交叉する方向（横方向）に向ける、即ち、下押えの長さ幅を以って、一対の外蓋の内側を渡し押える、
（ハ）以上の如き特徴をもった包装箱の封緘方法。
【請求項５】
（イ）本発明は、一対の外蓋を有する包装箱（段ボール箱など）の封緘具に関す、
（ロ）本封緘具は、支柱を介して、下押えと上押えとが連結されて成る、
下押えは、安定した状態に封緘するための一定の長さ（長さ幅）をもって成る、
（ハ）上押えは、長さ側（の側面）から見るかたちに於いて、支柱の上端から一方（左方または右方）に延びたかたち、あるいは支柱の上端から両方（左方と右方）に延びたかたちを取り得るよう構成されて成る、
即ち、上押えは、側面から見るかたちに於いて、支柱の上端から一方（左方または右方）に延び、他の側面から見るかたちに於いて、支柱の上端から両方（左方と右方）に延びた形態をもって成る、また、下押えに対し、回転可能なかたちに連結されて成る、
（ニ）以上の如き特徴を有して成る包装箱の封緘具。
【請求項６】
上押えを操作するとき（回転させるとき）、下押えが連動して回転しないよう、ストッパーと成り得る機能あるいは形態を有して成る請求項５記載の封緘具。
【請求項７】
（イ）本発明は、一対の外蓋を有する包装箱（段ボール箱など）の封緘具に関す、
（ロ）本封緘具は、支柱を介して、下押えと上押えとが連結されて成る、
下押えは、安定した状態に封緘するための一定の長さ（長さ幅）をもって成る、
（ハ）上押えは、固定片と可動片で成り、長さ側（の側面）から見るかたちに於いて、支柱の上端から一方（左方または右方）に延びたかたち、あるいは可動片を展開（シフトあるいは回転）させることによって、支柱の上端から両方（左方および右方）に延びたかたちを取り得るよう構成されて成る、
（ニ）以上の如き特徴を有して成る包装箱の封緘具。
【請求項８】
（イ）本発明は、一対の外蓋を有する包装箱（段ボール箱など）の封緘方法に関す、
（ロ）使用する封緘具は、支柱を介して、下押えと上押えとが連結されて成る、
下押えは、安定した状態に封緘するための一定の長さ（長さ幅）をもって成る、
（ハ）封緘に際しては、下押えの長さ方向（長さ幅が延びる方向）を相手方（例えば左方）に向け、先ず、片方（右方）の外蓋（の縁）に取り付ける、即ち、下押えの長さ幅を以って、一対の外蓋の内側を渡し押える体勢に取り付ける、この際、下押え（だけ）を相手方に差し出すかたちをとるものとする、次いで、差し出した下押えの上に、相手方（左方）の外蓋を重ね合せる、
然る後、上押えを操作し（即ち、上押えを回転させ、あるいは可動片を展開し）、上押えを一対の外蓋上に掛け渡す、即ち、上押えを、一対の外蓋上を渡し押える状態にする、
（ニ）以上の如き特徴をもった包装箱の封緘方法。
【請求項９】
下押えと上押えの間隔が、弾力的に調整されるよう、そのためのバネと成り得る機能あるいは形態を有して成る請求項１、又は３、又は５、又は６、又は７記載の封緘具。
【発明の詳細な説明】
【技術分野】
【０００１】
一対の外蓋を有する段ボール箱（などの包装箱）について、「一対の外蓋同士を連結するかたちで封緘する封緘具」に関す。
【０００２】
本封緘具は、支柱を介して下押えと上押えとが連結されて成るものである。
この構成における封緘具は、従来から多くのものがあるが、その形態、その使用方法など適切なものがない。更には、安定した状態に封緘し得るものがない。
【０００３】
本発明は、「下押え」について、「一定の長さ（長さ幅）をもつものとした」ことである。
【背景技術】
【０００４】
例えば、特許文献１及び２に示す如きの封緘具は、一対の外蓋を安定した状態（バクバクしない状態）あるいは平らに堅く閉じた状態に封緘することが困難である。
【先行技術文献】
【特許文献】
【０００５】
【特許文献１】特開平１１−５９６６３
【特許文献２】実開平４−７４６１９
【発明の概要】
【発明が解決しようとする課題】
【０００６】
（１）一対の外蓋同士を連結するかたちの封緘具を得ること。
（２）開口部の中央寄りの部位、あるいは開口部の適宜の部位に取り付け得る封緘具を得ること。
（３）堅固な状態あるいは平らな状態、即ち、一対の外蓋が合せ目でバクバクしない状態、あるいは閉じ合せた蓋が浮き上がらない状態（以下、このような状態を「安定した状態」と云う）に封緘できる封緘具を得ること。
【課題を解決するための手段】
【０００７】
支柱を介して下押えと上押えとが連結されて成る封緘具について、下押えに「一定の長さ（以下、長さ幅あるいは渡し幅とも云う）」をもつものとした。
「一定の長さ」とは、一対の外蓋を概ね安定した状態に連結（封緘）するに適う長さ、あるいは幅を云う。
【０００８】
封緘するための操作を、「取り付ける（先ず、片方の外蓋に取り付ける、次いで、もう片方の外蓋とたたみ合せる）」、然る後に、「据える（一対の外蓋を封緘状態に連結する）」の、概ね２段階の操作（手順）によるものとした。
【発明の効果】
【０００９】
一対の外蓋をしっかりした状態、あるいは安定した状態に連結（封緘）することができるものとなった。
【図面の簡単な説明】
【００１０】
【図１】本発明の封緘具の１つを示す図である。
【図２】図１について封緘する過程を示す図である。
【図３】図１について補足の説明をする図である
【図４】図１について補足の説明をする図である。
【図５】図１について補足の説明をする図である。
【図６】本発明の封緘具の１つを示す図である。
【図７】図６について説明する図である。
【図８】本発明の封緘具の１つを示す図である。
【図９】図８について封緘する過程を示す図である。
【図１０】図８について補足の説明をする図である。
【図１１】本発明の封緘具の１つを示す図である。
【図１２】図１１について説明する図である。
【図１３】図１１について封緘する過程を示す図である。
【図１４】本発明の封緘具の１つを示す図である。
【図１５】本発明の封緘具の１つを示す図である。
【発明を実施するための形態】
【００１１】
本発明を説明する上で、図を見たままの状態で、上、下、縦、横、左、右、内、外、裏、表の意味を使い分ける。
包装箱は、段ボール箱を念頭にして説明をする。
段ボール箱は、幅面と長さ面がある。主に、幅面（幅側の側面）から見るかたちで表現する。
本書では、一対の外蓋を左側と右側、即ち、左右に見るかたちで表現する。また、一対の外蓋の合せ目を、縦筋に見るかたちで表現する。
本封緘具は、下押えに一定の長さ幅をもつ、即ち、本封緘具は幅と長さをもつ、また、幅側と長さ側の側面をもつ。
【００１２】
一定の長さ幅とは、一対の外蓋の内側を渡し押える長さで、一対の外蓋がその合せ目で折れない、あるいは合せ目で浮き上がらない状態に封緘できる長さ、あるいは幅である。
云うならば、合せ目でバクバクしない（即ち、しっかり封緘できる）状態を得るに足る長さ、あるいは幅を一定の長さ幅と云う。
然しながら、一対の外蓋をバクバクしない状態に封緘（連結）するには、当然のこととして、下押えと上押えとの挟み合う間隔、及び挟み押える強さが適切であることが前提である。
因みに、下押えと上押えの挟み合う間隔、及び挟み押える強さが、適切に働くものになっているとしても、それだけでバクバクしない状態を得ることは困難であり、上記した一定の長さ幅をもつことと相まって功を奏するものになる。
【００１３】
一定の長さ幅とは、外蓋の幅（横幅）との相対関係における幅である。長さ幅は、蓋幅（横幅）の大小に応じて任意に決めて良い。
例えば、開口部が縦３８センチ、横３０センチ幅の段ボール箱（身近にあるみかん箱）の場合、即ち、片方の外蓋の横幅が１５センチの場合に於ける実施例では、下押えの長さ幅を１０センチほどにして一定の成果を得た、１６センチほどにして良好な（安心できる）成果を得た。
長さ幅は長いほど良いが、操作性との絡み、即ち、下押えが回転するときに内蓋の縁や、箱体の内壁に突っ掛らないようにするなどの配慮をして設定をすることが大切である。
因みに、上記した下押えの長さ幅（渡し幅）に対して、上押えの幅（左右の外蓋を渡し押える幅）は、３〜４センチで充分である。
【００１４】
本封緘具は、封緘する際の基本的な操作として「先ず、片方の外蓋に取り付ける、次いで、もう片方の外蓋とたたみ合せる」、然る後、「据える、即ち、一対の外蓋を連結し、封緘状態にする」の、概ね２段階の操作（手順）によるものとした。
如何ように回転させて使用するかは任意で良いが、本書では、例外のものを除いて、右廻りに回転させて封緘し、左廻りに回転させて開封する使い方に於いて説明する。
【００１５】
以下、図を追って説明する。
封緘方法の違いから、形態１、形態２、形態３に分類して説明する。
【００１６】
形態１（図１〜７）について説明する。
形態１のものは、「先ず、片方（例えば右方）の外蓋に取り付ける」とする段階で、「下押えを、相手方（左方）に差し出すかたちをとる」ものである。
【００１７】
図１を説明する。
図１(１)は、斜視図である。
図１(２)は、幅側（Ａ方向）から見た側面図である。
図１(３)は、長さ側（Ｂ方向）から見た側面図である。
【００１８】
図１(１)に示した封緘具は、上押えが、幅側から見るかたちに於いて、図１(２)に示すように、支柱の上端から一方（左方または右方）に延びて成り、長さ側から見るかたちに於いて、図１(３)に示すように、支柱の上端から両方（左方と右方）に延びて成るものである。
【００１９】
本書では、封緘具について、「先ず、片方の外蓋に取り付ける」とする側を「取り付け側」と云い、「相手方に差し出す」とする側を「差し出し側」と云うことにする。
図１(１)の場合、向こう方に向いている側（ｂ1）を「取り付け側」と云い、手前方に向いている側（ｂ2）を「差し出し側」と云う。
【００２０】
図２を説明する。
図２(１)(３)(５)は、図１に示した封緘具について、封緘する過程を示した図である。
図２(２)は図２(１)の状態、図２(４)は図２(３)の状態、図２(６)は図２(５)の状態を段ボール箱の幅面側から見た図である。
【００２１】
図２(１)は、片方（右方）の外蓋に取り付けた様子を示した図である。この状態に於いて、下押えが相手方（左方）に差し出される。
図２(３)は、差し出された下押えの上に、もう片方（左方）の外蓋を折り重ね、一対の外蓋を平らな状態にたたみ合せた様子を示した図である。
図２(５)は、上押えを操作して（回転させて）、一対の外蓋を連結した（封緘状態にした）様子を示した図である。
即ち、図２は、上押えを操作して、上押えを一対の外蓋の上に掛け渡す（渡し押える）と同時に、下押えの長さ方向（長さ幅が延びる方向）を、一対の外蓋の合せ目筋に交叉する方向に向ける過程を説明した図である。
【００２２】
上記の過程（あるいは手順）は、ひとえに、下押えの長さ幅を以って、一対の外蓋の内側を渡し押えるため、及び、その長さを横渡しに据えるためのものである。
【００２３】
図３を説明する。
図３は、図１(１)に示したものについて、上押えに、耳（ｈ）を付けたものである。
図２(３)の状態から、図２(５)の状態に上押えを回転させるとき、往々にして、上押えが相手方の外蓋の縁に突っ掛って操作がし難い。
これに対応するための一策として、図３に示すように、上押えに耳を付けておくと良い。
耳は、上積みする他の箱に突っ掛ることなく、なびいてしまうようなもの（リボン状のもの）にしておく。また、上押えを操作するときに、自在につまみもてるものにしておき、上押えを相手方の外蓋上に掛け渡すとき、相手方の外蓋の縁（の段差）に突っ掛ることなく引き連る（ひきずる）ことができるよう、そのための「渡し（あるいは架け橋）」として機能させることができる。
上記した耳は、１つの例であって、どのような耳でも良いし、耳に代えて「緒」を付けるのも良い。因みに、回転の操作を容易にするための「つまみ」として設けるのであれば、上押え自体に穴を開ける、あるいは周辺を切り欠くなど、形状を工夫するだけのことでも良い。
【００２４】
図４を説明する。
本封緘具は、「下押えに一定の長さ幅をもつとする」が故に、開封に際して、横向きに据えた状態から縦向きに戻す操作に於いて、下押えが内蓋の縁に突っ掛って開封できなくなることがある。
図４は、その対策の一例を説明するものである。
【００２５】
図４(１)は、図１(１)に示したものと同じものである。
図４(２)は、段ボール箱（の外蓋）に取り付けた状態に於ける下押えの動きを、上方から平面的に見た透視図である。
縦線（ｙ）は、一対の外蓋の合せ目である。横線（ｘ）は、内蓋の縁である。
ｍ1、ｍ2、ｍ3は、下押えの回転する動きを示した図である。
封緘する際には、ｍ1の状態に取り付けた下押えを、ｍ2の状態を経て、ｍ3の状態（封緘状態）に据える。このとき、内蓋に突っ掛ることはない。
開封する際には、ｍ3の状態からｍ1の状態（開封し得る状態）に戻す操作をする。
この操作の途上、ｍ2の状態に差し掛かったとき、下押えの端（ｗ）が内蓋の縁（の厚み）に突っ掛ってｍ1の状態に戻らなくなることがある。
その対策として、少なくとも下押えの端寄りの部分については、下押えの下側（外側）の角（側辺）を削ったかたちをとる（テーパーをつける）などの対策が求められる。
即ち、内蓋と外蓋との間に滑り込むようにしておくことが求められる。因みに、図４(３)は、そのかたち（テーパーをつけたかたち）を示したものである。
但し、一対の内蓋の向い合う間隔が、下押えの長さ幅よりも充分に広い間隔がある場合には、必ずしも有用ではない。
【００２６】
図５を説明する。
図５(１)は、図１(１)を発展させたもので、外蓋（の厚み）に、しっくり嵌め付くためのバネ仕掛けを設けたものである。
図５(１)は、斜視図である。
図５(２)は、長さ側（Ｂ方向）から見た側面図で、下押えの下側（裏側）にバネ仕掛けを設けた状態を示したものである。
図５(３)は、下押えの下側（裏側）を見た斜視図で、板バネを備えた状態を示したものである。
図に示す板バネは、片方の端を下押えに固定し、もう片方の端は開放した（ずり動くようにした）ものである。
【００２７】
上押えと下押えとの間隔を一定に固定したもの（例えば、図１のもの）の場合、その嵌め付け枠はきついか、ゆるいかのどちらかであって、丁度良いことは望み難い。外蓋の厚みに多少の違いがあっても、また、硬さ（紙質）に違いがあっても適切に対応できるよう、バネ仕掛けをもつと良い。
図５で示したバネ仕掛けは、上押えと下押えとの上下間に介在する部分の支柱の丈幅（即ち、上押えと下押えとの間隔）を弾力的に調整する働きをするものである。
因みに、図５で示すバネは、一例として示したものであって、任意の形態をとって良い。尚、本出願で示す全ての封緘具は、バネをもつことによって実用性を高めることができる。
【００２８】
図６を説明する。
図６は、図１に対比して支柱の位置を変えたものである。
図６(１)は、斜視図である。
図６(２)は、幅側のＡ位置から見た側面図である。
図６(３)は、幅側のＣ位置から見た側面図である。
図６(２)は、差し出し側（支柱の左側）に下押えがない（上押えもない）。
図６(３)は、差し出し側（支柱の左側）に下押えがある。
【００２９】
図６に示すものは、図６(３)に示すように、図１(２)に示したかたちと同様に、差し出し側（左側）に下押えを呈するものである。従って、図６(３)に示すかたちを以って、図１に示すものと同様に使用することができる。
【００３０】
図７を説明する。
図７は、図６(３)に示すかたちを以って、図１に示すものと同様に使用できることを説明するものである。
図７(１)は、図６に示した封緘具を、図６(３)示したかたちを以って、片方（右方）の外蓋に取り付けた様子を示した図である。
図７(２)は、図７(１)の状態（右側の外蓋の縁に取り付けた状態）を拡大した部分図である。
即ち、図７(３)に示すように、下押えを相手方（左方）に差し出し、相手方の外蓋を重ね合せ得るものとなる。
【００３１】
図６、７は、片方の外蓋に取り付けた状態に於いて、もう片方（差し出し側）に下押えを差し出し得るものであれば、その様態あるいは形態を問うものではないことを説明するものである。
【００３２】
形態２（図８〜１０）について説明する。
形態２のものは、「先ず、片方（例えば右方）の外蓋に取り付ける」とする段階で、「上押えを相手方（左方）に差し出すかたちをとる」ものである。
【００３３】
図８を説明する。
図８(１)は、斜視図である。
図８(２)は、幅側（Ａ方向）から見た側面図である。
図８(３)は、長さ側（Ｂ方向）から見た側面図である。
【００３４】
図８(１)に示す封緘具は、下押えが、幅側から見るかたちに於いて、図８(２)に示すように、支柱の下端から一方（左方または右方）に延びて成り、長さ側から見るかたちに於いて、図８(３)に示すように、支柱の下端から両方（左方と右方）に延びて成るものである。
【００３５】
図９を説明する。
図９(１)(３)(５)は、図８に示した封緘具について、封緘する過程を示した図である。
図９(２)は図９(１)の状態、図９(４)は図９(３)の状態、図９(６)は図９(５)の状態を段ボール箱の幅面側から見た図である。
【００３６】
図９(１)は、片方（右方）の外蓋に取り付けた様子を示した図である。この状態に於いて、上押えが相手方（左方）に差し出される。
図９(３)は、相手方（左方）の外蓋を折りたたみ、その上に、差し出した上押えをたたみ合せ、一対の外蓋を平らな状態に押えた様子を示した図である。
図９(５)は、上押えを操作し（回転させ）一対の外蓋を連結した（封緘状態にした）様子を示した図である。
即ち、図９(５)は、上押えを操作して、下押えの長さ方向（長さ幅が延びる方向)を、一対の外蓋の合せ目筋に交叉する方向（横方向）に向けた図である。
【００３７】
上記の過程（あるいは手順）は、ひとえに、下押えの長さ幅を以って、一対の外蓋の内側を渡し押えるため、及び、その長さを横渡しに据えるためのものである。
【００３８】
図１０を説明する。
図１０は、図８に示した封緘具について補足の説明をするものである。
本封緘具は、「先ず、片方（例えば右方）の外蓋に取り付ける」とした段階に於いて、下押えは、その全部分が取り付けた側に在る。従って、封緘するとき、即ち、下押えを相手方の外蓋の内側（下側）に廻し入れるとき、往々にして相手方の外蓋の縁（段差）に突っ掛ってしまう。
また、下押えが長さ幅をもつが故に、開封するとき、即ち、下押えを回転させたとき、往々にしてその端寄りの部分が内蓋の縁に突っ掛ってしまう。
図１０は、その対策を示すものである。
【００３９】
図１０(１)(２)は、段ボール箱（の外蓋）に取り付けた状態に於ける下押えの動きを、上方から平面的に見た透視図である。縦線（ｙ）は、一対の外蓋の合せ目である。横線（ｘ）は、内蓋の縁である。ｍ1、ｍ2、ｍ3 は、下押えが回転する動きを示した図である。
図１０(１)は、封緘する時に於ける動きを説明するものである。
ｍ1 の状態に取り付けた封緘具を、右廻りに回転させようとすると下押えの側辺（ｗ）が、相手方（左方）の外蓋のとの段差に突っ掛る。
図１０(２)は、開封する時に於ける動きを説明するものである。
左廻りに回転させ、ｍ3 の状態からｍ1 の状態に戻す途上、ｍ2 の状態に差し掛かったとき、下押えの端寄りの部分（ｗ）が、内蓋の厚みに突っ掛る。
【００４０】
図１０(３)(４)は、上記の対策として工夫をした下押えの形状を示す図である。
図１０(３)は、斜視図である。Ｓで示した部分は、回転の中心となる支柱の位置である。
図１０(４)は、幅側（Ａ方向）から見た側面図である。
右廻しで封緘するとき、相手方の外蓋の縁に突っ掛らないよう、その側辺（斜線で潰した部分）を、図１０(４)に示すように、相手方の外蓋を下方から掬い上げるかたちのものにしておくと良い。
左廻しで、開封するとき、内蓋の縁に突っ掛からないよう、その側辺および先端寄りの部分を、図１０(４)に示すように、下押えの厚み（下側）を削った如き状態（即ち、テーパーを付けたかたち）にしておくと良い。
【００４１】
図１０(３)(４)に示したかたち（形状）は、一例として示したものである。要は、上記した問題を認識の上、任意のかたち、あるいはデザインにして良い。
【００４２】
形態３（図１１〜１５）について説明する。
形態３のものは、「先ず、片方の外蓋に取り付ける」とする段階で、「下押えの長さ方向を相手方に向けるかたちをとる」ものである。
即ち、下押えは、その長さ方向を、終始、一対の外蓋の合せ目筋（縦筋）に交叉する方向（横方向）に向けたままのかたちをとるものである。
【００４３】
図１１を説明する。
図１１は、図５に示したものと同じく、バネ仕掛けをもつものである。但し、図５の場合は、上押えと下押えが、固定されているものであるのに対し、図１１に示すものは、下押えに対し、上押えが回転するようにした（即ち、バネ仕掛けを下押えに固定していない）ものである。
【００４４】
従って、上押えを回転させ、適宜に、図１１(１)の状態、あるいは図１１(２)の状態をとることができるものである。
【００４５】
図１１(１)(２)(５)は、斜視図である。
図１１(３)は、図１１(１)を幅側（Ａ方向）から見た側面図である。
図１１(４)は、図１１(２)を長さ側（Ｂ方向）から見た側面図である。
図１１(５)は、図１１(２)を裏側から見た図である。
【００４６】
図１１(１)は、片方の外蓋に取り付ける段階でとる態勢である。図１１(２)は、一対の外蓋を連結（封緘）する段階でとる体勢である。
支柱を軸にして、図１１(１)の態勢から図１１(２)の態勢に回転させる、即ち、ｅ1 からｅ2 まで回転させることで封緘することができるものである。どのように使用するか（即ち、どれだけの角度を回転、あるいは往来させるものにするか）は、適宜に、任意に決めて良い。必要以上に回動しないものにしておくと良い。
【００４７】
図１２を説明する。
図１２は、図１１を説明するものである。
【００４８】
図１２(１)(２)(３)は、図１１を構成する下押えについて、ストッパーを設けた一例を示すものである。
上押えを回転させるとき、往々にして、下押えも連動してずり動いて（回転して）しまうことから、下押えが回転しないよう、ストッパーとなる機能あるいは形態が求められる。
図１２(１)に示したストッパー（Ｄ５）は、一対の外蓋の合せ目（の隙間）に差し挟む筋状の出っ張りである。
図１２(２)は、図１２(１)を幅側（Ａ方向）から見た側面図である。
図１２(３)は、図１２(１)を長さ側（Ｂ方向）から見た側面図である。
【００４９】
ストッパーを成すため、上記したもののように、一対の外蓋の合せ目を利用する方法のほか、外蓋（段ボール）の板厚の内の穴目（穴筋）を利用する方法などがあるが、その方法は任意に決めて良い。また、ストッパーの形態も任意に決めて良い。
【００５０】
ストッパーとなる機能あるいは形態をもたない場合、下押えが連動してずり動いても（回転しても）差し支えないよう下押えを円形にするのも良い。但し、その場合には、一定の長さ幅の径をもつ円形であることが大切である。斯様に、円形である場合も、本発明で云うところの「下押えが、一定の長さ幅をもつ」という解釈をとるものとする。
段ボール箱自体にストッパーとなるかたちをもつ、あるいは段ボール箱の内側壁面を利用する方法なども一案である。
【００５１】
図１２(４)(５)(６)は、図１１を構成するバネ仕掛け（Ｄ４）を説明するものである。
図１２(４)は、金属線を折り曲げ、上押え（Ｄ１）と支柱（Ｄ２）とバネ仕掛け（Ｄ４）を一体に成したもの（斜視図）である。
図１２(５)は、図１２(４)をＡ方向から見た側面図である。
図１２(６)は、図１２(４)をＢ方向から見た側面図である。
図１２(４)で示したものは、一体に成したものであるから、上押えとともに、支柱もバネ仕掛けも連動（回転）するものであるが、上押えだけが回転するかたち、あるいは上押えと支柱だけが回転するかたちなど、その構成は任意に設定して良い。因みに、図１２(４)で示したものは、一例として示したものであって、任意の形態をとって良い。
【００５２】
図１３を説明する。
図１３(１)(３)(５)は、図１１に示した封緘具について、封緘する過程を示した図である。
図１３(２)は図１３(１)の状態、図１３(４)は図１３(３)の状態、図１３(６)は図１３(５)の状態を段ボール箱の幅面側から見た図である。
【００５３】
図１３(１)は、片方（例えば右方）の外蓋の縁に本封緘具を取り付けた（嵌め付けた）様子を示した図である。
この封緘具（図１１に示した封緘具）の場合、取り付けの段階で下押えの長さ方向（長さ幅が延びる方向）を相手方に向けて差し出すかたちをとるものである。
図１３(３)は、差し出された部分（下押え）に、もう片方（左方）の外蓋を折り重ね、一対の外蓋を平らな状態にたたみ合せた様子を示した図である。
図１３(５)は、上押えを操作して（回転させて）一対の外蓋を連結した（封緘状態にした）様子を示した図である。
【００５４】
図１４を説明する。
図１４も、図１１のものと同様に、片方の外蓋に取り付ける段階で、下押えの長さ方向（長さ幅の延びる方向）を相手方に向けて取り付けるものである。
【００５５】
図１１に示したものの場合は、「上押えを回転させて」一対の外蓋を連結する（封緘する）ものであるのに対し、図１４に示すものの場合は、「上押えの可動片をスライドさせて」一対の外蓋を連結するもので、この点を除いて、図１１に示したものと封緘する過程は同じである。
【００５６】
図１４に示す上押え（Ｄ１）は、固定片（Ｄ11）と可動片（Ｄ12）で成り、長さ側（Ｂ方向）から見るかたちに於いて、支柱の上端から一方（左方または右方）に延びたかたち、あるいは可動片をシフト（あるいはスライド）させることによって、支柱の上端から両方（左方と右方）に延びたかたちを取り得るよう構成して成るものである。
【００５７】
図１４(１)は、図１４(２)に示す上押えの固定片（Ｄ11）に、図１４(３)に示す可動片（Ｄ12）を組み合せて（組み付けて）成したものである。因みに、図１４(３)は、可動片を裏側から見た図である。図１４(１)(２)(３)(４)は、斜視図である。
尚、図１４で示した可動片は、左右にスライドする形態のものであるが、回転する形態のものにするのも良い。因みに、それらの形態あるいは構成は任意に決めて良い。
【００５８】
図１５を説明する。
図１５は、図１１に示したものと同様に、下押えに対し、上押えが回転するかたちをとったものである。
図１５は、２連にしたものである。
図１５(１)は、上押えを片方（右方）に向けた状態、即ち、片方の外蓋に取り付ける時点の態勢を示したものである。
図１５(２)は、上押えが左右（一対）の外蓋を渡し押える状態、即ち、一対の外蓋を連結する（封緘する）時の態勢を示したものである。
【００５９】
図１５は、図１１に示したもの、即ち、上押え（だけ）を回転させるものにした場合の応用例の１つとして示したものである。
【００６０】
図１５は、上押えを回転操作するとき、下押えが連動してずり動くことのないよう措置した１例を示すものでもある。
【００６１】
以下は、全体的な補足事項である。
【００６２】
以上に示した図は、一対の外蓋の合せ目（の隙間）に支柱を差し通すことを念頭にしたものである。実施例では（但し、図１４を除いて）、支柱は、＃１６（２.６ミリ径）の線材を使用した。
一対の外蓋の合せ目に隙間がない、あるいは隙間が作れないなどの場合は、左右（一対）の外蓋の片方あるいは両方の縁に、支柱を差し通し得る適宜の切り欠きを設けるのも良い。切り欠きを設ける場合であれば、ゆとりをもった太い支柱（軸）にすることもできる。  
【００６３】
上押えの機能あるいは役割りについて補足する。
上押えの本来の役割りは、左右（一対）の外蓋を渡し押えること、及び下押えを動かす（回転させる、あるいはスライドさせる）ための取っ手としての役割りをもつ。因みに、その形状は、任意に設定して良い。
本発明の特徴（「下押えが一定の長さ幅をもつ」こと）から云うならば、下押えの長さ方向（長さ幅の延びる方向）がどちらに向いているかを知るための指標となることも重要である。
即ち、封緘状態にあるか、あるいは開封できる状態にあるかを知るために、上押えの状態（形状）で判別する、あるいは上押えに付す標識で認識することになる。
因みに、その形状、その標識については、任意に設定して良い。また、判別あるいは認識する上でのルールも任意に決めて良い。
【００６４】
上押えは、荷扱いの支障にならないよう、即ち、上積みする荷が突っ掛らないよう、できるだけ厚みを薄くすることなどが求められる。
【００６５】
本発明は、段ボール箱を主たる対象にしたものであるが、同様の形態をもつ段ボール箱以外の箱（本書では包装箱と云う）にも使用することができる。
【００６６】
本封緘具は、全体に於いて、材料、材質について限定するものではない。尚、必要な機能を損なわない限り、形状、輪郭、デザイン、大きさ、形態など任意に決めて良い。
【００６７】
本発明は、全体の図を通して発明の全容を説明しているものであって、個々の図で説明する具体的な技術内容によって、請求項に記載する技術内容は限定されるものではない。
【００６８】
請求項１は、形態１の封緘具である。図１〜７を以って説明した。
請求項２は、形態１の封緘方法である。図２を以って説明した。
請求項３は、形態２の封緘具である。図８〜１０を以って説明した。
請求項４は、形態２の封緘方法である。図９を以って説明した。
請求項５、６は、形態３の封緘具である。図１１〜１３、１５を以って説明した。
請求項７は、形態３の封緘具である。図１４を以って説明した。
請求項８は、形態３の封緘方法である。図１３を以って説明した。
請求項９は、形態１、２、３の封緘具である。図５、１２を以って説明した。
【産業上の利用可能性】
【００６９】
付け外しが、簡単容易であり、安定した状態に封緘することができる。
また、開口部の中央寄りの部位（蓋がたわむ部位）に取り付けできるものにしたことで、業務用にも使用できる。即ち、荷扱いの支障（他の箱を上積みする時に突っ掛るなどの支障) を防ぐこと、あるいは支障を軽微にすることができる。
【符号の説明】
【００７０】
段ボール箱
Ｃ１    幅面
Ｃ２    長さ面
Ｃ３    内蓋
Ｃ４    外蓋
封緘具
Ｄ１    上押え
Ｄ２    支柱
Ｄ３    下押え
Ｄ４    バネ仕掛け
Ｄ５    ストッパー
【図１】
2014198599.tif 000003
【図２】
2014198599.tif 000004
【図３】
2014198599.tif 000005
【図４】
2014198599.tif 000006
【図５】
2014198599.tif 000007
【図６】
2014198599.tif 000008
【図７】
2014198599.tif 000009
【図８】
2014198599.tif 000010
【図９】
2014198599.tif 000011
【図１０】
2014198599.tif 000012
【図１１】
2014198599.tif 000013
【図１２】
2014198599.tif 000014
【図１３】
2014198599.tif 000015
【図１４】
2014198599.tif 000016
【図１５】
2014198599.tif 000017